(57)【要約】【課題】  ヘッド開口部を開閉するためのシャッタ駆動力を軽減することができるディスクカートリッジを得る。【解決手段】  ディスクカートリッジ１０では、ディスクメディア１２を回転可能に収容したケース１４の底板３８に、ドライブ装置のヘッドがディスクメディアの記録面にアクセスするためのヘッド開口部１６が設けられている。ヘッド開口部１６の一部は、外部から操作れてディスクメディア１２と同軸的に回動するインナロータ６０に一体的に設けられた第１シャッタ６４が、ディスクメディア１２と底板３８との間でインナロータ６０と共に回動することで開閉される。第１シャッタ６４には、底板３８と摺動する複数の摺動突起９０が設けられており、各摺動突起９０を頂部とする多角形は、その内側に第１シャッタ６４の回動軸心を位置させるように配置されている。【選択図】      図３
2005276280.tif 000002
【特許請求の範囲】
【請求項１】
回転可能に収容した円板状のディスクメディアの記録面と対向する面板部に、ドライブ装置のヘッドが前記記録面にアクセスするためのヘッド開口部が設けられたケースと、
前記ケース内に設けられ、外部から操作されて前記ディスクメディアと同軸的に回動する操作部材と、
前記操作部材に固定的に設けられると共に前記ディスクメディアと前記面板部との間に配置され、前記操作部材と共に回動して前記ヘッド開口部の少なくとも所要の一部を開閉するシャッタと、
それぞれ前記シャッタにおける前記面板部との対向面から突設されると共に、それぞれを頂部とする多角形の内側に前記シャッタの回動軸心が位置するように配置された３つ以上の摺動突起と、
を備えたディスクカートリッジ。
【請求項２】
前記摺動突起における前記面板部に当接する先端は、球面形状とされている、請求項１記載のディスクカートリッジ。
【請求項３】
前記摺動突起における前記面板部に当接する先端は、前記シャッタの回動軸心からの放射方向に沿う軸線廻りの円筒面とされている、請求項１記載のディスクカートリッジ。
【発明の詳細な説明】
【技術分野】
【０００１】
本発明は、情報や映像の記録再生媒体として用いられる円板状のディスクメディアをケース内に回転可能に収容したディスクカートリッジに関する。
【背景技術】
【０００２】
例えば、コンピュータ用の記録再生媒体や映像の記録再生媒体として、光ディスクや光磁気ディスク等の円板状のディスクメディアが用いられている。このようなディスクメディアは、記録または再生を行なう際には、ディスクドライブ装置に装填された状態でスピンドル軸によって回転されつつ、ディスクメディアの記録面側にアクセスした記録ヘッドによって記録面へレーザ光、またはレーザ光及び磁場の両者が照射される。これにより、ディスクメディアでは、記録層の分解及び／または昇温によるピット形成や相変化、磁化反転等によって情報の記録が為され、またはレーザ光の反射率や偏光角を再生ヘッドで読み取って記録された情報の再生が行なわれるようになっている。
【０００３】
このようなディスクメディアの高記録容量化に伴い、ディスクメディアの記録面側の表面（記録層を被覆するカバー層）への塵埃の付着を防止するために、ディスクメディアをケースの収容部内に収容したディスクカートリッジが知られている（例えば、特許文献１参照）。このようなディスクカートリッジでは、ケースにおけるディスクメディアの記録面側に、ディスクメディアのセンタ孔及び記録面側にアクセスするためのチャッキング開口部及びヘッド開口部が設けられている。これらの開口は、インナロータによって駆動される一対のシャッタによって開閉されるようになっている。
【０００４】
また、ケースにおけるディスクメディアに対しチャッキング開口部及びヘッド開口部とは反対側に、ディスクメディアの出し入れを可能とする開口部を設けたディスクカートリッジが知られている（例えば、特許文献２参照）。このディスクカートリッジでは、上記開口部を設けると共に、インナロータを含む一対のシャッタを同一平面で動作させることにより、薄型化を図るようになっている。このディスクカートリッジのシャッタ機構について、図１０に基づいて説明する。
【０００５】
図１０に示すディスクカートリッジ１００は、ケース１０２の底板１０２Ａにディスクメディア（図示省略）のセンタ孔にアクセスするためのチャッキング開口部１０４、ドライブ装置のヘッドが記録面にアクセスするためのヘッド開口部１０６がそれぞれ設けられている。このケース１０２内におけるディスクメディアと底板１０２Ａとの間には、ディスクメディアと同軸的に回動可能なインナロータ１０７に一体に形成された第１シャッタ１０８と、ケース１０２におけるディスクメディアの径方向外側に回動軸１１２を有する第２シャッタ１１０とが設けられている。
【０００６】
第１シャッタ１０８と第２シャッタ１１０とは、図１０（Ａ）に示す如く互いの突き当て端である当接端面１０８Ａ、１１０Ａを突き当ててヘッド開口部１０６を閉塞する。そして、インナロータ１０７を第１シャッタ１０８と共に矢印Ｇ方向に回動すると共に第２シャッタ１１０をヘッド開口部１０６に対し矢印Ｇとは略反対の矢印Ｈ方向に回動することで、図１０（Ｂ）に示される如く、ヘッド開口部１０６が開放される。
【０００７】
この第１シャッタ１０８と第２シャッタ１１０とは連動する。具体的には、第１シャッタ１０８から突設された凸部１１４が第２シャッタ１１０に設けられたガイド溝１１６に入り込んでおり、インナロータ１０７の操作突起１０７Ａがドライブ装置の開閉部材に係合操作されて該インナロータ１０７が第１シャッタ１０８と共に矢印Ｇ方向に回動すると、凸部１１４がガイド溝１１６の溝壁を押圧することで、第２シャッタ１１０が矢印Ｈ方向に回動し、ヘッド開口部１０６が開放される。また、これと反対の動作によってヘッド開口部１０６が閉塞される。
【０００８】
しかしながら、上記従来のディスクカートリッジ１００では、凸部１１４に押圧されて回動する比較的小型の第２シャッタ１１０については開閉動作上の問題はないが、大型でかつほぼ全面を底板１０２Ａに接触させる第１シャッタ１０８は、開閉動作に伴う摺動摩擦が大きいという問題があった。特に、インナロータ１０７の操作突起１０７Ａとドライブ装置の開閉部材との係合状態によっては、第１シャッタ１０８を底板１０２Ａに押し付ける方向に分力が生じる場合があり、この分力によって第１シャッタ１０８と底板１０２Ａとの摺動摩擦が増大することが懸念される。この摩擦が増大すると、ヘッド開口部１０６を開閉するための操作突起１０７Ａの操作力（シャッタ駆動力）が増大してしまい、スムースな開閉動作を阻害する。
【０００９】
また、特許文献２には、第１シャッタの回動に伴って凸部１１４を底板１０２Ａに設けた溝から抜け出させ、この凸部１１４が底板１０２Ａと摺動する構成も記載されている。しかしながら、この構成によっても、第１シャッタ１０８は、その一部が底板から離間するのみであり、その大部分が底板１０２Ａと摺動しつつ回動するため、上記問題を解決することはできない。
【特許文献１】特開２００３−１１５１８４号公報
【特許文献２】特開２００３−２４２７４０号公報
【発明の開示】
【発明が解決しようとする課題】
【００１０】
本発明は、上記事実を考慮して、ヘッド開口部を開閉するためのシャッタ駆動力を軽減することができるディスクカートリッジを得ることが目的である。
【課題を解決するための手段】
【００１１】
上記目的を達成するために請求項１記載の発明に係るディスクカートリッジは、回転可能に収容した円板状のディスクメディアの記録面と対向する面板部に、ドライブ装置のヘッドが前記記録面にアクセスするためのヘッド開口部が設けられたケースと、前記ケース内に設けられ、外部から操作されて前記ディスクメディアと同軸的に回動する操作部材と、前記操作部材に固定的に設けられると共に前記ディスクメディアと前記面板部との間に配置され、前記操作部材と共に回動して前記ヘッド開口部の少なくとも所要の一部を開閉するシャッタと、それぞれ前記シャッタにおける前記面板部との対向面から突設されると共に、それぞれを頂部とする多角形の内側に前記シャッタの回動軸心が位置するように配置された３つ以上の摺動突起と、ことを特徴としている。
【００１２】
請求項１記載のディスクカートリッジでは、操作部材が外部から操作されて回動すると、ヘッド開口部が設けられた面板部とディスクメディアとの間でシャッタが回動し、ヘッド開口部の少なくとも所要の一部が開閉される。このとき、シャッタに設けられた各摺動突起が面板部と摺動する。ヘッド開口部が開放された状態では、ディスクメディアはドライブ装置によって回転駆動され、情報の記録または記録された情報の再生が為される。すなわち、ケースは、ディスクメディアのドライブ装置による回転駆動を可能とするように、該ディスクメディアを相対回転可能に収容している。
【００１３】
ここで、シャッタにおける面板部との間に設けられた３つ以上の摺動突起が、それぞれを頂部とする多角形の内側にシャッタ部材の回動軸心が位置するように配置されているため、各摺動突起の先端を面板部に当接させた状態ではシャッタは面板部に対し傾くことなく姿勢が維持される。これにより、シャッタは、摺動突起のみを面板部に当接させ該面板部との接触面積が少ない状態で該面板部と摺動するため、シャッタと面板部との摺動摩擦が低減する。このため、仮に操作部材の操作力がシャッタを面板部に押し付ける分力を生じさせても摺動摩擦の増大が抑制され、ヘッド開口部を開閉するための操作部材の操作力が軽減される。
【００１４】
特に、操作部材に外部からの操作力が作用する操作部の近傍に（シャッタの回動軸心からの距離が操作力作用部に近接するように）摺動突起を配置する構成とすれば、上記分力によって各摺動突起が面板部から離間し難くなり、一層効果的に操作部材の操作力を軽減することができる。なお、操作部材は、ヘッド開口部を開放する場合及び閉塞する場合の何れかの場合にのみ外部から操作されるものであっても良い。
【００１５】
このように、請求項１記載のディスクカートリッジでは、ヘッド開口部を開閉するためのシャッタ駆動力を軽減することができる。
【００１６】
請求項２記載の発明に係るディスクカートリッジは、請求項１記載のディスクカートリッジにおいて、前記摺動突起における前記面板部に当接する先端は、球面形状とされている、ことを特徴としている。
【００１７】
請求項２記載のディスクカートリッジでは、各摺接突起における面板部と摺動する先端が球面（例えば、半球状）であるため、すなわち各摺接突起が面板部と略点接触状態で摺動するため、摺動摩擦が効果的に低減される。
【００１８】
請求項３記載の発明に係るディスクカートリッジは、請求項１記載のディスクカートリッジにおいて、前記摺動突起における前記面板部に当接する先端は、前記シャッタの回動軸心からの放射方向に沿う軸線廻りの円筒面とされている、ことを特徴としている。
【００１９】
請求項３記載のディスクカートリッジでは、各摺接突起における面板部と摺動する先端が、シャッタの回動軸心からの放射方向に沿う軸線廻り円筒面であるため、すなわち各摺接突起が面板部との摺動方向に直交する略線接触状態で摺動するため、摺動摩擦が効果的に低減される。
【発明の効果】
【００２０】
以上説明したように本発明に係るディスクカートリッジは、ヘッド開口部を開閉するためのシャッタ駆動力を軽減することができるという優れた効果を有する。
【発明を実施するための最良の形態】
【００２１】
本発明の一実施形態に係るディスクカートリッジ１０について、図１乃至図８に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２２】
図１には、ディスクカートリッジ１０の外観形状が斜視図にて示されており、図２にはディスクカートリッジ１０が分解斜視図にて示されている。これらの図に示される如く、ディスクカートリッジ１０は、円板状に形成された情報記録再生媒体としてのディスクメディア１２を相対回転可能に収容するケース１４と、ケース１４の下面で開口し記録再生ヘッドがディスクメディア１２の記録面にアクセスするためのヘッド開口部１６を開閉するシャッタ機構１８と、ケース１４の上側に開口し該ケース１４に対するディスクメディア１２の出し入れを可能とするディスク開口部２０からのディスクメディア１２の脱落を防止するためのディスク保持機構２２とを主要構成要素として構成されている。なお、図１ではディスクメディア１２の図示を省略している。
【００２３】
先ず、ディスクカートリッジ１０の概略全体構成を説明し、その後、本発明の要部である第１シャッタ６４の摺動突起９０について説明することとする。
【００２４】
［ディスクカートリッジの全体構成］
（ディスクメディアの構成）
ディスクカートリッジ１０に収容されるディスクメディア１２は、上記の通り円板状に形成されている。ディスクメディア１２の軸心部には、ディスクドライブ装置の回転スピンドル軸にチャッキング（係合保持）されるセンタ孔１２Ａが設けられている。また、ディスクメディア１２の下面は、記録面がカバー層（何れも図示省略）にて被覆保護されて構成されている。記録面は、ディスクメディア１２の下面における外周近傍及びセンタ孔１２Ａ周りの所定範囲を除く部分に環状に形成されている。ディスクメディア１２の下面におけるセンタ孔１２Ａの孔縁と記録面の内縁との間の領域は、ドライブ装置の回転スピンドル軸がディスクメディア１２を保持するためのチャッキングエリアとされている。本実施形態では、ディスクメディア１２の直径（外径）は略１２０ｍｍとされている。
【００２５】
（ケースの構成）
ケース１４は、上シェル２４と下シェル２６とを接合して平面視で略矩形の扁平容器状に構成されている。具体的には、ケース１４は、平面視で前縁部が左右略対称の円弧状に形成されると共に後端が左右方向に沿う直線状に形成されており、この形状によってドライブ装置への誤装填を防止するようになっている。
【００２６】
上シェル２４は、平面視でケース１４の形状に対応した形状の天板２８と、天板２８の外縁に略沿って下方に立設された外周壁３０とを備えている。天板２８には、平面視で略円形のディスク開口部２０が設けられており、ディスク開口部２０の内径はディスクメディア１２の外径よりも大とされている。これにより、ディスク開口部２０を通してディスクメディア１２のケース１４への出し入れ（挿脱）が可能とされている。また、上シェル２４は、ディスク開口部２０の縁部に沿って下方に立設された環状の内周壁３２を備えている。
【００２７】
また、天板２８における後端側でかつ内周壁３２の径方向外側の２箇所には、後述するディスク押え部材８４取付用の切欠部３４が設けられている。さらに、天板２８における右側の切欠部３４の右側には、後述するロック部材８８を操作するための左右方向に長手のロック操作窓３６が設けられている。一方、外周壁３０におけるケース１４の右側の側壁を構成する部分の前後方向中央部には、前後方向に長手とされると共に下方に開口するコ字状の縁部を有する切欠部３０Ａが形成されている。切欠部３０Ａは、下シェル２６の後述する外周壁４０の切欠部４０Ａとで、ケース１４における右側の側壁の前後方向中央部に略矩形状のシャッタ操作窓４６を構成するようになっている。
【００２８】
下シェル２６は、天板２８に略対応した形状の底板面板部として底板３８と、外周壁３０に略対応した形状の外周壁４０とを備えている。底板３８には、ディスクメディア１２のセンタ孔１２Ａに対応する略円形のチャッキング開口部４２と、上記ヘッド開口部１６とが設けられている。以下の説明では、チャッキング開口部４２とヘッド開口部１６とをまとめてアクセス開口４４という場合がある。
【００２９】
ヘッド開口部１６は、チャッキング開口部４２の径方向に長手の略矩形状に形成されており、チャッキング開口部４２の前側に連設されている。したがって、アクセス開口４４が形成する底板３８の切欠き縁は、前方に開口する略Ｕ字状に形成されている。また、ヘッド開口部１６は、外周壁４０における前部の左右方向中央部を全高に亘り切り欠いて構成されている。また、底板３８の上面からは、防塵リブ４５が突設されている。防塵リブ４５については、第１シャッタ６４の摺動突起９０と共に後述する。
【００３０】
外周壁４０は、その上端（開口端）を上シェル２４の外周壁３０の下端（開口端）に突き当ててケース１４の周壁を構成するようになっている。この外周壁４０における上シェル２４の切欠部３０Ａに対応する位置には、前後方向に長手とされると共に上方に開口するコ字状の縁部を有する切欠部４０Ａが形成されている。外周壁３０と外周壁４０とが互いに開口端を突き当てた状態では、切欠部３０Ａと切欠部４０Ａとがケース１４の右側の側面にシャッタ操作窓４６（図１参照）を形成するようになっている。シャッタ操作窓４６は、後述するインナロータ６０の操作突起６６露出用とされている。
【００３１】
また、下シェル２６は、チャッキング開口部４２と同軸的な円周に沿って底板３８から部分的に立設された内壁４８を備えている。内壁４８は、その内面を結ぶ仮想円の内径が上シェル２４の内周壁３２の外径よりも大とされており、上シェル２４と下シェル２６との接合状態で内周壁３２との間に隙間が形成されるようになっている。この隙間にインナロータ６０の環状壁部６２（後述）を入り込ませる構成である。そして、底板３８と内壁４８と上シェル２４の内周壁３２とが、ケース１４内においてディスクメディア１２を収容するディスク収容部５０（図１参照）を形成するようになっている。このディスク収容部５０は、上記の通りディスク開口部２０を通じてディスクメディア１２の出し入れが可能とされている。
【００３２】
さらに、底板３８における左後の角部近傍からは、支軸５２が突設されている。支軸５２の軸心は、内壁４８の外面に沿う円周の外側すなわちディスク収容部５０の外側に位置している。本実施形態では、支軸５２は、その内部が底板３８の外面に開口する基準孔５２Ａとされた円筒状に形成されている。底板３８における右後の角部近傍からは、基準孔５２Ａと対を成し左右方向に長手とされた基準孔５３Ａが設けられた突条５３が設けられている。また、底板３８の後部における内壁４８の径方向外側からは、左右一対の軸受部５４が突設されており、ディスク押え部材８４の軸支持用とされている。
【００３３】
さらにまた、底板３８の左端近傍における前後方向略中央部には、前後一対の凹部５６Ａ、５６Ｂが設けられている。凹部５６Ａ、５６Ｂは、それぞれインナロータ６０のカム突起７２（後述）の移動軌跡の始端、終端を含むように、かつ互いに離間して配置されている。さらに、底板３８の左前の角部近傍には、一対のガイドピン５８が突設されている。一対のガイドピン５８は、内壁４８と同軸的かつ内壁４８よりも大径の仮想円周上に配置されており、後述するディスク受け部材８２のガイド用とされている。
【００３４】
以上説明した下シェル２６は、外周壁４０の上端面を外周壁３０の下端面に突き当てた状態で、ビス止めによって上シェル２４に接合されてケース１４を構成している。なお、上シェル２４と下シェル２６とは、ビス止めに代えて、例えば外周壁３０、４４を超音波溶着や接着等によって接合しても良い。
【００３５】
（シャッタ機構の構成）
シャッタ機構１８は、ケース１４内に設けられている。具体的には、シャッタ機構１８は、ケース１４内に配設された操作部材としてのインナロータ６０を備えている。インナロータ６０は、短円筒状に形成された環状壁部６２を備えている。環状壁部６２は、上記の通り、上シェル２４の内周壁３２と下シェル２６の内壁４８との間の隙間に摺動可能に入り込んでいる。これにより、インナロータ６０は、ケース１４に対するディスク収容部５０（に収容されるディスクメディア１２）と同軸的な回動可能とされている。
【００３６】
図４にも示される如く、環状壁部６２の下端の径方向内側には、平板状に形成された本発明におけるシャッタとしての第１シャッタ６４が一体的に設けられている。第１シャッタ６４は、環状壁部６２と同軸同径の円板に、アクセス開口４４と略同形状の切欠部６５Ａと、後述する第２シャッタ７４の内周受け凸部（円弧リブ）８０の相対移動軌跡に対応した切欠部６５Ｂとを設けた形状とされている。第１シャッタ６４と第２シャッタ７４とでヘッド開口部１６を閉塞することから、切欠部６５Ａと切欠部６５Ｂとは連設されている。
【００３７】
また、環状壁部６２には、切欠部６５Ａの径方向外端に連続し縁部の形状が下方に開口する略コ字状の切欠部６２Ａが形成されている。この切欠部６２Ａが下シェル２６の外周壁４０が切欠かれた部分と一致することで、記録再生用ヘッドがディスクカートリッジ１０の前方からアクセスすることを許容する構成とされている。
【００３８】
さらに、第１シャッタ６４の下面における切欠部６５Ｂの径方向外側には、シャッタ逃し凹部６７が設けられている。シャッタ逃し凹部６７は、その下向きの底面が第１シャッタ６４の他の部分の下面よりも高位された薄肉部として設定されており、該底面とケース１４の底板３８との間に第２シャッタ７４を作動可能に配設する空間を形成するようになっている。この第１シャッタ６４の下面からは、底板３８と摺動する摺動突起９０が突設されているが、これについては後述する。
【００３９】
この第１シャッタ６４は、下シェル２６の底板３８（ディスク収容部５０）上に摺動可能に載置されており、インナロータ６０の回動に伴ってヘッド開口部１６の外周側及び内周側の一部を閉塞する閉塞位置（図５参照）と、ヘッド開口部１６上から退避する開放位置（図８参照）とを取り得るようになっている。すなわち、開放位置に位置する第１シャッタ６４は、その切欠部６５Ａをアクセス開口４４上に略一致して位置させるようになっている。
【００４０】
そして、環状壁部６２の外周面からは、ケース１４のシャッタ操作窓４６から外部に露出される操作突起６６が突設されている。操作突起６６は、第１シャッタ６４が閉塞位置に位置するときにはシャッタ操作窓４６の前端に位置し、第１シャッタ６４が開放位置に位置するときにはシャッタ操作窓４６の後端に位置するように配置されている。
【００４１】
また、第１シャッタ６４の上面からは、切欠部６５Ａにおけるチャッキング開口部４２に対応する縁部に沿って円弧状に形成された内周受け凸部６８が立設されている。この内周受け凸部６８上にディスクメディア１２の上記チャッキングエリアの下面に当接するようになっている。したがって、第１シャッタ６４は、底板３８とディスクメディア１２との間に配置されてヘッド開口部１６の一部を開閉するようになっている。
【００４２】
一方、第１シャッタ６４の上面における外周近傍からは、環状壁部６２の内面とに跨がるように外周受け凸部７０が立設されている。外周受け凸部７０は、内周受け凸部６８と略同じ高さとされており、ディスクメディア１２の下面における記録面よりも径方向外側の領域が当接するようになっている。これにより、第１シャッタ６４は、閉塞位置に位置すときには内周受け凸部６８及び外周受け凸部７０において、ディスクメディア１２を下方から支持する構成とされている。
【００４３】
さらに、第１シャッタ６４の下面における外周近傍からは、カム突起７２が突設されている。カム突起７２は、切欠部６５Ｂの径方向外側に配置されており、第２シャッタ７４のカム溝７８（後述）に常に入り込むようになっている。
【００４４】
また、シャッタ機構１８は、第１シャッタ６４が閉塞位置に位置するときにヘッド開口部１６の残余の一部（内周側の一部）を閉塞する第２シャッタ７４を備えている。第２シャッタ７４は、平板状に形成されており、第１シャッタ６４のシャッタ逃し凹部６７と底板３８との間に配設されている。
【００４５】
この第２シャッタ７４は、長板状に形成されており、長手方向の一端部に下シェル２６の支軸５２に回動自在に軸支されるボス部７６を備えている。これにより、第２シャッタ７４は、底板３８と摺動しつつ支軸５２廻りに回動することで、ヘッド開口部１６の内周側の一部を閉塞する閉塞位置（図５参照）と、ヘッド開口部１６上から退避する開放位置（図８参照）とを取り得るようになっている。図１及び図５に示される如く、第１シャッタ６４と第２シャッタ７４とは、それぞれ閉塞位置に位置する状態では、互いの当接端面６４Ａ、７４Ａを突き当ててヘッド開口部１６を完全に閉塞する構成である。
【００４６】
当接端面７４Ａは、支軸５２の軸心廻りの円弧状に形成されている。一方、当接端面６４Ａは、第１シャッタ６４、第２シャッタ７４が共に閉塞位置に位置する状態で、当接端面７４Ａにほぼ隙間なく当接する円弧形状に形成されている。これにより、第２シャッタ７４は、第１シャッタ６４の回動位置に依らず支軸５２廻りの回動が可能とされており、ヘッド開口部１６の開閉に伴って第１シャッタ６４と干渉することが確実に防止されてスムースに作動するようになっている。
【００４７】
そして、第１シャッタ６４は、インナロータ６０の軸心廻りに図５に示す矢印Ｄ方向に回動することで閉塞位置から開放位置側へ移動し、第２シャッタ７４は、支軸５２廻りにヘッド開口部１６に対し矢印Ｄとは略反対向きの矢印Ｅ方向に回動することで閉塞位置から開放位置側へ移動する構成とされている。また、これらの第１シャッタ６４と第２シャッタ７４とは互いに連動するようになっている。具体的には、第２シャッタ７４には長手方向に略沿うカム溝７８が設けられており、このカム溝７８には第１シャッタ６４のカム突起７２が入り込んでいる。
【００４８】
これにより、ヘッド開口部１６の閉塞状態で、インナロータ６０の操作突起６６が後方に移動して第１シャッタ６４が矢印Ｄ方向に回動すると、矢印Ｄ方向に回動（公転）するカム突起７２がカム溝７８の溝壁を押圧することで第２シャッタ７４が矢印Ｅ方向に回動するようになっている。カム突起７２は、ヘッド開口部１６の閉塞状態ではカム溝７８における支軸５２側の端部近傍に位置しており、図６及び図７に示される如くインナロータ６０の矢印Ｄ方向への回動に伴って支軸５２から離間するよう相対移動する構成である。
【００４９】
そして、本実施形態では、図７に示す如く、第２シャッタ７４が第１シャッタ６４よりも先に開放位置に達するようになっており、その後の第２シャッタ７４の矢印Ｅ方向への回動を防止しつつ第１シャッタの矢印Ｄ方向の回動を担保するために、カム溝７８の支軸５２側と反対側の端部は、第２シャッタ７４が開放位置に位置するときにカム突起７２の移動軌跡に一致する円弧状に形成されている。これにより、第１シャッタ６４は、第２シャッタ７４と干渉することなく図７に示す回動位置から図８に示す開放位置へ移動するようになっている。また、シャッタ機構１８では、ヘッド開口部１６の開放状態からインナロータ６０を矢印Ｄと反対方向に回動することで、図７及び図６に示す状態を経て図５に示すヘッド開口部１６の閉塞状態に復帰する構成である。
【００５０】
また、図１及び図２に示される如く、第２シャッタ７４の上面からは、ヘッド開口部１６を閉塞した状態で第１シャッタ６４の内周受け凸部６８とで環状を成す円弧状の内周受け凸部８０が突設されている。第２シャッタ７４における内周受け凸部８０の外側（径方向内側）は、切欠部７４Ｂ（図２参照）とされている。したがって、第１シャッタ６４及び第２シャッタ７４が共に閉塞位置に位置する状態で、チャッキング開口部４２は完全に開放される構成とされている。換言すれば、チャッキング開口部４２は、常に開放されてディスク開口部２０と連通する構成である。
【００５１】
内周受け凸部８０は、ヘッド開口部１６を閉塞した状態で、その上面を内周受け凸部６８の上面と略面一とし、ディスクメディア１２の下面におけるチャッキングエリアの残余の一部に下方から接する（下側から支持する）構成である。このため、ディスクメディア１２の下面すなわち記録面側には、常に開放されるチャッキング開口部４２を経由して塵芥等が侵入することがない構成とされている。
【００５２】
そして、シャッタ機構１８では、インナロータ６０が矢印Ｄ方向に回動すると、下シェル２６の凹部５６Ａに入り込んでいたカム突起７２が該凹部５６Ａから抜け出し、第１シャッタ６４が持ち上がって第２シャッタ７４よりも上側に位置するようになっている。これにより、ヘッド開口部１６の開放動作の初期に第２シャッタ７４の内周受け凸部８０がディスクメディア１２の下面から離間し、矢印Ｅ方向に回動する第２シャッタの内周受け凸部８０がディスクメディア１２の記録面に接触してしまうことが防止される構成である。また、第１シャッタ６４に切欠部６５Ｂが設けられていることにより、第２シャッタ７４の内周受け凸部８０が第１シャッタ６４に干渉することがない構成とされている。
【００５３】
また、開放位置まで移動した第１シャッタ６４のカム突起７２は、凹部５６Ｂに入り込んで第１シャッタ６４を底板３８上に載置する状態に復帰させ、ディスクメディア１２を底板３８と略平行な状態に復帰させるうようになっている。これにより、ディスクメディア１２のドライブ装置の回転スピンドル軸による確実なチャッキングが可能となると共に、回転するディスクメディア１２が第１シャッタ６４に干渉することが防止される構成である。なお、ヘッド開口部１６の開放状態から閉塞状態への移行過程では、上記説明の逆の動作が行なわれるようになっている。
【００５４】
さらに、シャッタ機構１８は、ディスク受け部材８２を備えている。ディスク受け部材８２は、第１シャッタ６４及び第２シャッタ７４がヘッド開口部１６を閉塞した状態で、第１シャッタ６４の切欠部６５Ａの径方向外端において切欠かれた外周受け凸部７０の周方向端部間を架け渡すディスク外周受け部８２Ａを備えている。すなわち、ディスク外周受け部８２Ａは、閉塞位置に位置する第１シャッタ６４の外周受け凸部７０とで環状を成すと共に、この状態で上面が外周受け凸部７０の上面と略面一とされ、ディスクメディア１２の下面における記録面よりも径方向外側部分の残余の一部に下方から接する（下側から支持する）構成である。これにより、ディスクメディア１２の下面すなわち記録面側には、ディスク開口部２０を経由して塵芥等が侵入することがない構成とされている。
【００５５】
このディスク受け部材８２は、下シェル２６の一対のガイドピン５８によって上下動可能に支持されており、インナロータ６０が矢印Ｄ方向に回動する動作に伴って下降し、矢印Ｄ方向に回動する外周受け凸部７０と干渉しない構成とされている。詳細は省略するが、ディスク外周受け部８２Ａ及び外周受け凸部７０の対応する周方向端部が上下に重なり合うテーパ状に形成されており、インナロータ６０の矢印Ｄ方向の回動によってディスク外周受け部８２Ａを外周受け凸部７０の下側に潜り込ませる構成とされている。なお、ヘッド開口部１６の開放状態から閉塞状態への移行過程では、上記説明の逆の動作が行なわれるようになっている。
【００５６】
（ディスク保持機構の構成）
ディスク保持機構２２は、ディスク押え部材８４を備えている。ディスク押え部材８４は、下シェル２６の一対の軸受部５４にそれぞれ回動自在に軸支される一対の支軸部８４Ａと、一対の支軸部８４Ａと一体に形成された左右方向に長手のアーム部８４Ｂとを備えて構成されている。また、アーム部８４Ｂには、ディスクメディア１２の上面に当接する左右一対のディスク当接部８４Ｃが設けられている。ディスク当接部８４Ｃは、樹脂材等にて一体成形される支軸部８４Ａ及びアーム部８４Ｂに対し、別部材であるゴム等にて構成することができる。
【００５７】
ディスク押え部材８４は、支軸部８４Ａ周りの回動によって、アーム部８４Ｂをディスク収容部５０（ディスク開口部２０）内に張り出してディスク当接部８４Ｃをディスクメディア１２の上面に当接させるディスク押え位置と、アーム部８４Ｂをディスク収容部５０内に張り出しつつディスク当接部８４Ｃをディスクメディア１２の上面から離間させるディスク回転許容位置と、アーム部８４Ｂをディスク収容部５０から退出させるディスク挿脱可能位置とを選択的に取り得る構成とされている。
【００５８】
また、図２に示される如く、ディスク保持機構２２は、ディスク押え部材８４をディスク押え位置側に付勢するディスク押えばね８６と、ケース１４内に左右方向のスライドのみ可能に設けられ操作突起８８Ａをロック操作窓３６から露出させたロック部材８８とを備えている。ディスク押えばね８６は、捩りコイルばねとされており、一端部がアーム部８４Ｂに係止されると共に他端部がロック部材８８の係合突起８８Ｂに係合している。これにより、ディスク押え部材８４は、通常はディスク押えばね８６の付勢力によってディスク押え位置に位置し、ディスクメディア１２を保持する構成である。
【００５９】
このディスク押え部材８４は、第１シャッタ６４がヘッド開口部１６を開放する動作に伴ってディスク押え位置からディスク回転許容位置に移動するようになっている。具体的には、インナロータ６０の環状壁部６２には、他の部分よりも壁高が高い部分が設けられており（図示省略）、外部分がインナロータ６０の矢印Ｄ方向への回動に伴ってアーム部８４Ｂを切欠部３４内において上方に持ち上げることで、ディスク押え部材８４をディスク押え位置からディスク回転許容位置に移動させる構成である。そして、ヘッド開口部１６が開放されている状態で、ディスク押え部材８４がディスク回転許容位置に位置する状態が維持されるようなっている。これにより、ディスク押え部材８４が回転するディスクメディア１２に干渉することが防止される構成である。
【００６０】
また、ロック部材８８は、操作突起８８Ａがロック操作窓３６の左端に位置するときにはディスク押えばね８６の他端部に係合するが、操作突起８８Ａがロック操作窓３６の右端に位置するときにはディスク押えばね８６の他端部との係合が解除されるようになっている。したがって、操作突起８８Ａを操作してロック部材８８を右方に移動させることで、ディスク押え部材８４にはディスク押えばね８６の付勢力が作用しなくなる。この状態でディスク押え部材８４を人手によってディスク挿脱可能位置に移動すれば、ディスク押え部材８４から手を離してもディスク押え部材８４がディスク押え位置に復帰してしまうことがなく、ディスクメディア１２のディスク収容部５０への挿入、取り出し（離脱）、取替え等を容易に行なうことができる構成である。
【００６１】
［摺動突起の構成］
図４に示される如く、第１シャッタ６４のシャッタ逃し凹部６７を除く下面からは、複数（本実施形態では４つ）の摺動突起９０が突設されている。これらの摺動突起９０は、それぞれ第１シャッタ６４の下面からの突出高が同等とされており、第１シャッタ６４の閉塞位置と開放位置との間の移動に伴って、ケース１４の底板３８と摺動するようになっている。各摺動突起９０は、第１シャッタ６４の下面からの突出高が略０．２ｍｍとされており、それぞれ底板３８と摺動する先端が球面とされている。これらの摺動突起９０は、それぞれ環状壁部６２と同軸的な仮想円周上に配置されており、かつ本実施形態では第１シャッタ６４の外周近傍に配置されている。
【００６２】
第１の摺接突起９０（以下、この摺動突起９０のみを区別していう場合は、摺動突起９０Ａということとする）は、切欠部６５Ａの当接端面６４Ａ側縁部の近傍に配置されている。また、摺接突起９０Ａから矢印Ｄ方向に最も遠く位置する第４の摺接突起９０は、シャッタ逃し凹部６７との境界部近傍に配置されており、摺接突起９０Ａから矢印Ｄ方向に沿って１８０°以上離間して（中心角が１８０°以上になるように）配置されている。
【００６３】
他の摺動突起９０は、摺動突起９０Ａと上記第４の摺動突起との間に、摺動突起９０Ａから見て矢印Ｄ側に配置されている。各摺動突起９０は、摺動突起９０Ａと第４の摺動突起との間隔を除き、互いに等間隔とされている。これにより、各摺動突起９０を頂部とすると共に隣り合う摺動突起９０を結ぶ直線にて形成される仮想的な多角形（本実施形態では四角形）の内側に、第１シャッタ６４（インナロータ６０）の回動軸心が位置する構成とされている。
【００６４】
以上説明した配置によって、第１シャッタ６４（インナロータ６０）は、各摺動突起９０を底板３８上面に当接させた載置状態で、該底板３８に対し略平行な姿勢を維持する（自立する）ことができる構成とされている。すなわち、第１シャッタ６４（インナロータ６０）は、重力によって傾くことなく各摺動突起９０を底板３８に当接させ、他の部分が底板３８に接触しない状態を維持することができる。特に、本実施形態では、各摺動突起９０を頂部とすると共に隣り合う摺動突起９０を結ぶ直線にて形成される上記仮想的な多角形の内側に、切欠部６５Ａ、６５Ｂ等を有するインナロータ６０（第１シャッタ６４）における回動軸心とは一致しない重心が位置するようになっており、一層安定して底板３８に対し略平行な姿勢を維持する（自立する）ことができる構成とされている。
【００６５】
また、これらの摺動突起９０が周方向においてインナロータ６０に回動力を付与するための操作突起６６側でバランス良く配置されて（すなわち、操作突起６６が摺動突起９０の存在しないシャッタ逃し凹部６７側に配置されず）、かつ径方向においても操作突起６６に近接して位置しているため、該操作突起６６を操作する操作力が第１シャッタ６４の面方向に交差する方向の分力を生じさせても、該第１シャッタ６４が底板３８に対し傾き難い構成とされている。また、本実施形態では、第２シャッタ７４の存在によって、第１シャッタ６４のシャッタ逃し凹部６７（摺動突起９０が設けられていない部分）が底板３８に接触することが確実に防止されている。
【００６６】
図５乃至図８に示される如く、各摺動突起９０のうち摺動突起９０Ａのみが第１シャッタ６４の閉塞位置と開放位置との間の移動に伴って、ヘッド開口部１６を跨いで移動するようになっている。
【００６７】
また、第２シャッタ７４は、その下面から摺動突起９２が突設される（図５参照）と共に、その下面よりもボス部７６が下方に突出しており、その下面の高位（上下方向の位置）を第１シャッタ６４の下面の高位に一致させるようになっている。これにより、第２シャッタ７４は、その当接端面７４Ａを第１シャッタ６４の当接端面６４Ａに突き当ててヘッド開口部１６を閉塞可能とされている。摺動突起９２は、第２シャッタ７４におけるヘッド開口部１６に露出されることがない部分に設けられている。
【００６８】
さらに、各摺動突起９０を設けたことにより、図３に示される如く、第１シャッタ６４及び第２シャッタ７４（図３では図示省略）の各下面と底板３８との間に隙間が形成されるようになっている。この隙間を経由したケース１４のディスク収容部５０内（ディスクメディア１２の記録面）への塵埃等の侵入を防止するために、底板３８の上面からは防塵リブが突設されている。図２に示される如く、防塵リブ４５は、アクセス開口４４の縁部に沿って設けられている。
【００６９】
これにより、図３及び図５に示される如く、ヘッド開口部１６の閉塞状態では、防塵リブ４５の上面が第１シャッタ６４及び第２シャッタ７４の下面に接触するか極近接し、上記隙間を経由したディスク収容部５０内への塵埃等の侵入が防止される構成である。なお、図３では、理解を容易にするために、上下方向に拡大した図としており、特に摺動突起９０を誇張して大きく描いている。また、図３では、摺動突起９０を実際の位置からずらして描いている。
【００７０】
さらに、防塵リブ４５における摺動突起９０Ａが横切る部分は、図２に示される如く、テーパ部４５Ａとされている。テーパ部４５Ａは、防塵リブ４５の左右両前端近傍に設けられ、矢印Ｄ側及び矢印Ｄとは反対側の面が共にテーパ面とされている。第１シャッタ６４は、その回動に伴って摺動突起９０Ａがテーパ部４５Ａを横切る際にガタつくことから、テーパ部４５Ａを防塵リブ４５における他の部分よりも若干低く構成してガタを抑えるようにしても良い。逆に、摺動突起９０Ａを他の摺動突起９０よりも若干低く構成しても良い。
【００７１】
また、防塵リブ４５における第２シャッタ７４の先端（当接端面７４Ａ）の矢印Ｅとは反対側端部が横切る（またはオーバラップする）部分は、テーパ部４５Ｂとされている。テーパ部４５Ｂは、防塵リブ４５における左側（ヘッド開口部１６とは反対側）に形成されており、第２シャッタ７４をスムースに動作させるようになっている。
【００７２】
さらにまた、上記の通り第１シャッタ６４、第２シャッタ７４の各下面と底板３８との間に隙間が生じることから、第１シャッタ７４のカム突起７２は、凹部５６Ａまたは凹部５６Ｂに入り込むために比較的長く構成されている。なお、カム突起７２が凹部５６Ａ、５６Ｂに出入して第１シャッタ６４（ディスクメディア１２）を持ち上げる機能を、各摺動突起９０が果たすようにすることも可能である。例えば、各摺動突起９０（及び各突起７２）が、ヘッド開口部１６の開放動作初期に凹部５６Ａに相当する凹部から同時に抜け出す構成とすれば、ディスクメディア１２を底板３８と平行のまま持ち上げて内周受け凸部８０とディスクメディア１２との干渉を防止することができ、またドライブ装置内でディスクメディア１２を底板３８（基準面）と平行にするための凹部５６Ｂに相当する部分を不要とすることも可能である。また、各摺動突起９０が入り込む凹部５６Ａに相当する凹部の深さを摺動突起９０の高さよりも深く設定すれば、閉塞位置に位置する第１シャッタ６４の下面は底板３８の上面と接触することとなり、防塵リブ４５、摺動突起９２、ボス部７６における第２シャッタ７４の下面よりも突出する部分を共に不要とすることも可能である。
【００７３】
次に、本実施形態の作用を説明する。
【００７４】
上記構成のディスクカートリッジ１０では、保管時や運搬時等の不使用時には第１シャッタ６４、第２シャッタ７４がそれぞれ閉塞位置に位置して互いの当接端面６４Ａ、７４Ａを突き当てると共に、それぞれの下面を防塵リブ４５の接触または極近接させてヘッド開口部１６を閉塞している。また、内周受け凸部６８、８０が環状を成してディスクメディア１２のチャッキングエリアに当接することで該ディスクメディア１２の内周側から記録面側への塵芥等の侵入を防止すると共に、外周受け凸部７０とディスク受け部材８２のディスク外周受け部８２Ａとが環状を成してディスクメディア１２の記録面よりも径方向外側部分に当接することで該ディスクメディア１２の外周側から記録面側への塵芥等の侵入を防止している。さらに、ディスク押え部材８４がディスク押えばね８６の付勢力によってディスクメディア１２を下方に押し付け、該ディスクメディア１２のガタつきを防止している。
【００７５】
このディスクカートリッジ１０を使用する際、すなわちディスクメディア１２に情報を記録する際またはディスクメディア１２に記録された情報を再生する際には、ディスクカートリッジ１０を矢印Ａ方向に沿ってドライブ装置に装填する。この装填動作（ディスクカートリッジ１０とドライブ装置との相対移動）に伴って、ドライブ装置の開閉部材がインナロータ６０の操作突起６６に係合して該操作突起６６を後方に移動する。
【００７６】
すると、インナロータ６０すなわち第１シャッタ６４が矢印Ｄ方向に回動し、これに連動して第２シャッタ７４が矢印Ｅ方向に回動する。このとき、第１シャッタ６４は、各摺動突起９０のみが底板３８と摺動し、他の部分が底板３８から離間した状態を維持しつつ回動する。そして、図６及び図７に示す状態を経て、操作突起６６がシャッタ操作窓４６の後端まで移動すると、図８に示される如くヘッド開口部１６が完全に開放された状態になる。
【００７７】
次いで、ドライブ装置内では、基準孔５２Ａ、５３Ａに位置決めピンが挿入される等してディスクカートリッジ１０が位置決めされる。この位置決め状態でチャッキング開口部４２からはドライブ装置の回転スピンドル軸が進入し、該回転スピンドル軸がディスクメディア１２のセンタ孔１２Ａ（及びチャッキングエリア）をチャッキングして該ディスクメディア１２を保持しつつ第１シャッタ６４の内周受け凸部６８、外周受け凸部７０から離間させる。そして、回転スピンドル軸が回転すると、ディスクメディア１２がケース１４内で非接触で回転駆動される（ケース１４に対し相対回転する）。一方、ヘッド開口部１６からはドライブ装置の記録再生ヘッドが進入する。この記録再生ヘッドによって、ディスクメディア１２の記録面に情報が記録され、または記録面に記録された情報が再生される（ディスクメディア１２が使用される）。
【００７８】
ディスクメディア１２の使用後には、ディスクカートリッジ１０がドライブ装置から排出される。この排出動作に伴って、ドライブ装置の開閉部材がインナロータ６０の操作突起６６に係合して該操作突起６６を前方に移動する。すると、インナロータ６０すなわち第１シャッタ６４が矢印Ｄとは反対方向に回動し、これに連動して第２シャッタ７４が矢印Ｅとは反対方向に回動する。このとき、第１シャッタ６４は、各摺動突起９０のみが底板３８と摺動し、他の部分が底板３８から離間した状態を維持しつつ回動する。そして、図７及び図６に示す状態を経て、操作突起６６がシャッタ操作窓４６の前端まで移動すると、図５に示される如くヘッド開口部１６が完全に閉塞された状態に復帰する。
【００７９】
ここで、第１シャッタ６４は、摺動突起９０においてのみ底板３８に接触するため、底板３８との接触面積が少なく、該底板３８との摺動抵抗が低減する。このため、仮にインナロータ６０の操作突起６６とドライブ装置の開閉部材との係合状態によって第１シャッタ６４を底板３８に押し付ける力が作用しても、第１シャッタ６４と底板３８との摺動摩擦の増大が抑制され、ヘッド開口部１６を開閉するための操作突起６６（インナロータ６０）の操作力が軽減される。
【００８０】
特に、複数の摺動突起９０が第１シャッタ６４の回動軸心廻りの同一円周上の異なる位置に、１８０°以上の範囲に亘り配置されているため、換言すれば、各摺動突起９０を頂部とする多角形の内側に第１シャッタ６４の回動軸心が位置するため、３つ以上の摺動突起９０を底板３８に接触させた状態を維持しやすく、底板３８に押し付ける方向の力が作用しても底板３８に対し傾き難い。しかも、各摺動突起９０が径方向において操作突起６６に近接する第１シャッタ６４の外周部に位置するため、第１シャッタ６４は、操作突起６６の操作に伴う底板３８側への分力程度の力によって該底板３８に対し傾斜してしまうことはない。さらに、上記摺動突起９０Ａを基点とする１８０°以上の範囲の間に操作突起６６が配置されるため、換言すれば、摺動突起９０が比較的密に配置されている部分に操作突起６６が位置するため、操作突起６６の操作力に対し第１シャッタ６４の姿勢が一層安定する。
【００８１】
以上により、第１シャッタ６４は、摺動突起９０以外の部分を底板３８に接触することが確実に防止され、ヘッド開口部１６を開閉するための操作突起６６（インナロータ６０）の操作力が確実に軽減される。さらに、各摺接突起９０における底板３８と摺動する先端が球面であるため、換言すれば、各摺接突起９０が底板３８面板部と略点接触状態で摺動するため、第１シャッタ６４と底板３８との摺動摩擦が一層低減される。
【００８２】
このように、本実施形態に係るディスクカートリッジでは、ヘッド開口部１６を開閉するためのシャッタ駆動力を軽減することができる。
【００８３】
次に、本発明における摺動突起の変形例を説明する。図９には、変形例に係る摺動突起９４を備えた第１シャッタ６４（インナロータ６０）が図４に対応する斜視図にて示されている。この図に示されるごとく、各摺動突起９４は、略半縁柱状に形成されており、その長手方向（軸線方向）がインナロータ６０の径方向とされている。すなわち、各摺動突起９４の外面は、第１シャッタ６４の回動軸心からの放射方向（回動軌跡に対する法線方向）に沿う軸線を有する円筒面とされている。
【００８４】
したがって、各摺動突起９４は、第１シャッタ６４の回動に伴って、インナロータ６０の径方向に沿う線接触状態で底板３８と摺動する。このように、各摺接突起９４が底板３８面板部と略線接触状態で摺動するため、第１シャッタ６４と底板３８との摺動摩擦が一層低減される。本変形例によっても、上記実施形態と同様の効果を得ることができる。
【００８５】
なお、上記の実施形態または変形例では、摺動突起９０、９４がインナロータ６０と動軸てきな同一円周上に配置された好ましい構成としたが、本発明はこれに限定されず、３つ以上の摺動突起９０、９４は、それぞれを頂部とする多角形の内側に第１シャッタの回動軸心を位置させれば足り、その配置について他の限定はない。
【００８６】
また、上記の実施形態または変形例では、摺動突起９０、９４が４つである構成を例示したが、本発明はこれに限定されず、例えば、摺動突起９０、９４を３つとしても良く、５つ以上設けても良い。
【００８７】
さらに、上記の実施形態または変形例では、各摺動突起９０、９４が底板３８に対し略点接触または略線接触する好ましい構成としたが、本発明はこれに限定されず、例えば、摺動突起９０の先端を低端面としても良い。
【００８８】
さらにまた、上記の実施形態では、ケース１４にディスク開口部２０が設けられている構成を例示したが、本発明はこれに限定されず、例えば、天板２８が開口部を備えない構成としても良く、ディスク開口部２０に代えて天板２８にもヘッド開口部１６またはアクセス開口４４を設けた構成として良い。後者の場合、天板２８とディスクメディア１２との間にシャッタ機構１８または別のシャッタ機構を設けることができる。
【００８９】
また、上記の実施形態では、第１シャッタ６４と第２シャッタ７４とでヘッド開口部１６を開閉する構成としたが、本発明はこれに限定されず、例えば、第１シャッタ６４の回動角を増やして第１シャッタ６４のみでヘッド開口部１６を開閉してもよく、ディスクメディア１２の軸心廻りに回動してヘッド開口部１６の少なくとも一部を開閉する他の構造のシャッタ機構を備えても良い。
【００９０】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。また、例えば、ディスクメディア１２は、片面記録タイプのみならず両面記録タイプであっても良く、ユーザによる情報の記録を不能とした再生専用のディスクメディアであっても良いことは言うまでもない。したがって、上記したドライブ装置の記録再生ヘッドは、記録機能のみ、または再生機能のみを有するものであっても良い。
【図面の簡単な説明】
【００９１】
【図１】本発明の一実施形態に係るディスクカートリッジの外観を示す斜視図である。
【図２】本発明の一実施形態に係るディスクカートリッジの分解斜視図である。
【図３】本発明の一実施形態に係るディスクカートリッジの模式的な断面図である。
【図４】本発明の一実施形態に係るディスクカートリッジを構成する第１シャッタが一体化されたインナロータの斜視図である。
【図５】本発明の一実施形態に係るディスクカートリッジを構成するシャッタ機構によるヘッド開口部の閉塞状態を示す模式的な平面図である。
【図６】本発明の一実施形態に係るディスクカートリッジを構成するシャッタ機構のヘッド開口部の閉塞または開放過程を示す模式的な平面図である。
【図７】本発明の一実施形態に係るディスクカートリッジを構成するシャッタ機構のヘッド開口部の閉塞または開放過程の図６とは異なる状態を示す模式的な平面図である。
【図８】本発明の一実施形態に係るディスクカートリッジを構成するシャッタ機構によるヘッド開口部の開放状態を示す模式的な平面図である。
【図９】本発明の一実施形態に係るディスクカートリッジを構成する摺動突起の変形例を示す図４に対応する斜視図である。
【図１０】従来のディスクカートリッジを示す図であって、（Ａ）はシャッタ機構によるヘッド開口部の閉塞状態を示す平面図、（Ｂ）はシャッタ機構によるヘッド開口部の開放状態を示す平面図である。
【符号の説明】
【００９２】
１０    ディスクカートリッジ
１２    ディスクメディア
１４    ケース
１６    ヘッド開口部
３８    底板（面板部）
６０    インナロータ（操作部材）
６４    第１シャッタ（シャッタ）
９０    摺動突起
９４    摺動突起
【図１】
2005276280.tif 000003
【図２】
2005276280.tif 000004
【図３】
2005276280.tif 000005
【図４】
2005276280.tif 000006
【図５】
2005276280.tif 000007
【図６】
2005276280.tif 000008
【図７】
2005276280.tif 000009
【図８】
2005276280.tif 000010
【図９】
2005276280.tif 000011
【図１０】
2005276280.tif 000012